Podtech/llm-jp-corpus-v4-ja_patent huggingface dataset:
(57)【要約】      （修正有）【課題】めがねフレームのテンプル部のあたりを柔軟にし、また、ゴルフクラブのボールとの反発力を増す、高強度低弾性率を有するＴｉ合金の提供。【解決手段】質量％で、Ｚｒを１０〜３５％およびＣｒを８〜１４％含有し、残部Ｔｉおよび不可避な不純物からなる合金組成を有するＴｉ合金、または該Ｚｒの一部を５％までのＳｎで置換した合金。該合金を冷間加工により高強度としたゴルフクラブヘッド。【選択図】なし【特許請求の範囲】
【請求項１】
質量％で、Ｚｒを１０〜３５％およびＣｒを８〜１４％含有し、残部がＴｉおよび不可避な不純物からなる合金組成を有する高強度低弾性率Ｔｉ合金。
【請求項２】
Ｚｒの一部を５％までのＳｎで置き換えた合金組成を有する請求項１の高強度低弾性率Ｔｉ合金。
【請求項３】
請求項１または２に記載のＴｉ合金を、冷間加工して製造した高強度で低弾性率のＴｉ合金製品。
【請求項４】
ゴルフクラブのヘッドである請求項３のＴｉ合金製品。
【発明の詳細な説明】
【０００１】
【産業上の利用分野】
本発明は、高強度で低弾性率のＴｉ合金と、それを使用して製造したＴｉ合金製品に関する。
【０００２】
【従来の技術】
Ｔｉ合金は、軽量であって高強度を発揮できるから、そのような特性が求められるさまざまな用途に向けられている。これまで知られているＴｉ合金には、つぎのようなものがある。
めがねフレーム用：
純Ｔｉ
Ｔｉ−１５Ｖ−３Ｃｒ−３Ｓｎ−３Ａｌ
Ｔｉ−２２Ｖ−４Ａｌ
ゴルフクラブのフェース用：
Ｔｉ−６Ａｌ−４Ｖ
Ｔｉ−１５Ｖ−３Ｃｒ−３Ｓｎ−３Ａｌ
Ｔｉ−２２Ｖ−４Ａｌ
【０００３】
めがねフレームでは、線径を細くできる高い強度をもち、かつ、テンプル部のあたりを柔軟にすることができるよう、弾性率が低い材料が求められる。ゴルフクラブのフェースでは、弾性率を下げることによってボールとクラブヘッドのインピーダンスが近づき、その結果、反発カが増すことが知られているから、ここでも、高強度に加えて低弾性率の材料が望まれる。
【０００４】
以前は、ゴルフクラブにはフェースの「反発特性」が高いことが好ましいとされ、高いヤング率（１２，０００ｋｇｆ／ｍｍ２以上）を示すＴｉ合金の使用が提案されたこともあったが（特開平２−５９７３１）、今日では、この考えは力を失っている。高強度で高延性のＴｉ合金において、耐高温大気酸化性を改善したものとして、特定量のＦｅおよびＯを添加した、数％のＺｒを含有する合金組成も開示されている（特開平１１−３３５７５７）が、上記のような用途における弾性率のもつ意義に言及したものではない。
【０００５】
【発明が解決しようとする問題点】
本発明の目的は、これまでめがねフレームやゴルフクラブのヘッドの材料として使用されてきたＴｉ合金と同等またはそれ以上の強度を有する上に、低減された弾性率を有するＴｉ合金を提供することにある。そのようなＴｉ合金を使用して、より高性能な製品を提供することも、本発明の目的に含まれる。
【０００６】
【課題を解決するための手段】
上記の目的を達成する本発明の高強度低弾性率Ｔｉ合金は、質量％で、Ｚｒを１０〜３５％およびＣｒを８〜１４％含有し、残部がＴｉおよび不可避な不純物からなる合金組成を有するＴｉ合金である。
【０００７】
【発明の実施の形態】
本発明の高強度低弾性率Ｔｉ合金は、その１０〜３５％を占めるＺｒ成分の一部を、５％までのＳｎで置き換えた合金組成とすることができる。以下に、本発明のＴｉ合金の合金組成を上記のように選択した理由を説明する。
【０００８】
Ｚｒ：１０〜３５％
ＴｉにＺｒを添加すると、弾性率を低下させることができる。その効果は、少なくとも１０％の添加をしないと得られない。過大に添加すると、Ｔｉの量が相対的に減り、合金の比重が増大してしまう。効果が飽和する３５％を添加の限度とする。
【０００９】
Ｃｒ：８〜１４％
Ｃｒは、ヤング率を下げるβ相を形成させることを目的に添加する。８％という添加量下限は、β単相を得るために必要な最低量である。多量のＣｒは、ＴｉＣｒ２、ＺｒＣｒ２の生成を招いて好ましくないから、上限値１４％までの添加量を選ぶ。
【００１０】
Ｓｎ：５％以下
Ｓｎは、弾性率を下げる作用はＺｒほどではないが、Ｔｉ中ではＺｒと同様に、α相およびβ相を強化する中性的な元素であり、Ｚｒの一部をＳｎに置き換えることができる。その限度は、本来の目的であるＺｒによる弾性率低下の効果を妨げないよう、５％以下に止めるのがよい。
【００１１】
Ｔｉ：残部
Ｔｉは低密度であって製品の軽量化を可能にするので、バランス元素として使用する。
【００１２】
本発明のＴｉ合金を製品に加工する手段としては、冷間加工を行なうことが好ましい。冷間加工は、弾性率を増加させずに強度を高める手段として有効であり、それにより高強度の製品が得られる。この効果は、加工度にして２０％以上で得られるが、あまり高くすると異方性が生じるので、用途によっては差し支える。実用上は、５０％程度に止めるのが得策である。
【００１３】
【実施例１】
表１に示す合金組成をもつＴｉ合金を、プラズマスカル炉を用いて溶製し、直径１００ｍｍ、１０ｋｇのインゴットに鋳造した。比較のため、本発明にしたがう合金組成の範囲外のもの１種、および既知のＴｉ合金３種を、同様に溶製し、鋳造した。各インゴットを鍛伸して、直径２０ｍｍの棒材とした。９００℃に３０分間加熱したのち水冷する固溶化処理をほどこし、試験片（平行部直径６．３ｍｍ，ＧＬ＝４０）を採取して引張試験にかけるとともに、弾性率の尺度としてヤング率を、共振法により測定した。試験結果を、表１にあわせて掲げる。
【００１４】
表１のデータから、本発明のＴｉ合金は、既知の代表的Ｔｉ合金３種と比較したとき、強度において明確にまさっており、一方、弾性率の尺度であるヤング率も、明らかにより低い値が得られていることがわかる。引張り試験における伸びは、ほぼ同等の値が得られており、加工性は劣らないことも確認できている。本発明の範囲外の合金組成をもつ比較例Ａは、ヤング率が大きく、低弾性率という発明の目的に反している。
【００１５】
表１  合金組成（質量％、残部Ｔｉ）
2004353039.tif 000002
【００１６】
【実施例２】
実施例Ｎｏ．１のＴｉ合金に、冷間伸線（伸線率２５％、５０％および７５％）を施して線材を得、各伸線率における引張特性とヤング率を測定した。その結果を図１のグラフに示す。伸線率の増加に伴い、引張り強さが増大しているが、伸びとヤング率とは実質上変化していないことがわかる。
【００１７】
【発明の効果】
本発明の高強度低弾性率Ｔｉ合金は、前記した実施データからわかるように、既知のＴｉ合金にくらべてより高い強度を示し、一方で弾性率は明確に低下している。加工性は、従来の合金と変わらない。ゆえにこのＴｉ合金は、前記のような製品、代表的にはめがねフレームやゴルフクラブのヘッド（とくにフェース部分）の材料として好適である。製品への加工を冷間加工によって行なえば、加工硬化によるいっそうの高強度化が実現する。
【図面の簡単な説明】
【図１】本発明の実施例のデータであって、実施例Ｎｏ．１のＴｉ合金の棒材を冷間伸線して得た線材の引張特性およびヤング率に及ぼす、伸線率の影響を示したグラフ。
【図１】
2004353039.tif 000003
(57)【要約】      （修正有）【課題】真空断熱管の配管工事を容易にし、冷温水を効率良く給水する。【解決手段】真空にした２重管の金属管２の外側管の管端に、膨らみ（拡管部）１を持たせ、既存の拡管式継ぎ手４に取り付けられる様にした。拡管式真空断熱管は、従来の保温材付きの、給水管に比べ高い保温力を有し、また拡管継ぎ手に取り付け可能なため、管の保温、配管工事が容易になる。【選択図】図２
2004353856.tif 000002
【特許請求の範囲】
【請求項１】
真空▲３▼、にした２重の金属管▲２▼、の外側の管の端に、膨らみ（拡管部）▲１▼、を持たせ、既存の拡管式継ぎ手▲４▼、に、取り付けられる様にした拡管式真空断熱管（図１）。
【発明の詳細な説明】
（発明の属する技術分野）        配管技術
（従来の技術）                  真空の断熱効果は周知の事実であり、真空断熱管を使用すると、かなりの省エネ効果が期待できますが、既存の継ぎ手に取り付けるには、やや難があります。
（発明が解決しようとする課題）
真空断熱管を、既存の拡管式継ぎ手に、取り付け可能とすることで、真空断熱管の配管工事の、簡素化を実現する事が、目的です。
（課題を解決するための手段）
真空断熱管▲２▼、の外管の端に拡管部▲１▼、を持たせる事により、既存の拡管式継ぎ手▲４▼、に拡管式真空断熱管（図１）を直接、取り付けられる様にしたものです。（発明の実施の形態及び実施例）
既存の拡管式継ぎ手▲４▼、による配管工事と同じ手法での工事が可能であり、また拡管式継ぎ手による配管の一部を、拡管式真空断熱管（図１）と置き換える事も可能です。
（発明の効果）
本件の拡管式真空断熱管（図１）は、既存の拡管式継ぎ手に取り付け可能であり、これにより真空断熱管の配管工事が容易になり、経済的です。
保温材による断熱工事が不要になり、真空の断熱効果により、高い省エネ効果を実現します。
【図面の簡単な説明】
【図１】は、拡管式真空断熱管の断面を示す。
▲１▼  拡管部    ▲２▼  真空断熱管    ▲３▼真空断熱部
【図２】は、既存の拡管式継ぎ手に取り付けた状態を示す断面図。
▲４▼  既存の拡管式継ぎ手
【図１】
2004353856.tif 000003
【図２】
2004353856.tif 000004
(57)【要約】【課題】この発明は、表示装置の画面前面に装備する周辺機器を表示装置に保持する際に、過負荷がかかったときに、安全に締結を解除し、過負荷がかかったことを使用者に知らしめる保持部材に関するものである。【解決手段】に弾性のある素材の輪（１ａ）、（１ｂ）を設け、ベルト状の基材（２）を輪（１ａ）、（１ｂ）に同時に通した後、輪（１ａ）を基点にベルト状の基材（２）を折り返して再度、（１ｂ）の中を通過させる。通過させたベルト状の基材（２）端を引っ張り、負荷をかけることで輪（１ａ）と輪（１ｂ）がベルト状の基材（２）を挟み込みベルト状の基材（２）が締め付けられる。さらにその状態からベルト状の基材（２）端を引っ張り、負荷をかけると、輪（１ａ）、（１ｂ）は弾性のある素材なのでお互いに変形しながらベルト状の基材（２）に伴って輪（１ａ）が輪（１ｂ）の内側を通過する。【選択図】  図１
2004353853.tif 000002
【特許請求の範囲】
【請求項１】
ベルト状の基材（２）に弾性のある素材の輪（１ａ）、（１ｂ）を２つ設けた保持部材。
【請求項２】
前記基材は紐状である請求項１の保持部材。
【発明の詳細な説明】
【０００１】
【発明の属する技術分野】
本発明は過負荷がかかったときに、安全に締結を解除し、過負荷がかかったことを知らしめてくれる保持部材に関するものである。
【０００２】
【従来の技術】
従来、ＯＡフィルタなどの表示装置（４）の画面前面に備え付けることを目的とした周辺機器（３）を表示装置（４）へ保持する方法の一つにベルト状の基材（２）を用いた保持部材を使用していた。しかし、表示装置（４）へ強固に固定しようとするあまり一般の使用者が必要以上の負荷をかけてしまった場合、ベルト状の基材（２）が設けられている表示装置（４）の画面前面に設置する周辺機器（３）のキャビネットにその負荷がかかり壊れてしまうことがあった。
【０００３】
【発明が解決しようとする課題】
したがって、ベルト状の保持部材を締め付ける力はベルト状の基材（２）が設けられている表示装置（４）の画面前面に設置する周辺機器（３）のキャビネットが壊れないような負荷で締め付けることを一般の使用者の感覚に依存していた。
【０００４】
【課題を解決するための手段】
いま、その構成を説明すると、
ベルト状の基材（２）に弾性のある素材の輪（１ａ）、（１ｂ）を２つ設ける。以上のように構成する。
【０００５】
【発明の実施形態】
図１は本発明の図である。ベルト状の基材（２）に輪（１ａ）、（１ｂ）を設ける。
【０００６】
図２はベルト状の基材と輪（１ａ）、（１ｂ）の使用方法を示した図である。ベルト状の基材（２）を輪（１ａ）、（１ｂ）に同時に通した後、輪（１ａ）を基点にベルト状の基材（２）を折り返して再度、輪（１ｂ）の中を通過させる。
【０００７】
通過させたベルト状の基材（２）の一端に負荷をかけて引っ張ることで輪（１ａ）と輪（１ｂ）がベルト状の基材（２）を挟み込むことになりベルト状の基材（２）が締結される。
【０００８】
さらにその状態から負荷をかけると、輪（１ａ）、（１ｂ）は弾性のある素材を使用するので互いに変形しながらベルト状の基材（２）に伴って輪（１ａ）が輪（１ｂ）の内側を通過することで締結が解除される。
【０００９】
輪（１ａ）と輪（１ｂ）はベルト状の基材（２）のどの位置にあっても使用することが出来る。
【００１０】
ベルト状の基材は紐状の基材であっても使用することが出来る。
【００１１】
輪（１ａ）と輪（１ｂ）の形状を変えることで過負荷の調整が可能になる。
【００１２】
【発明の効果】
過負荷状態の時、輪同士がすり抜けることで締結を解除し、過負荷がかかっていたことを一般の使用者に知らしめ、不用意な破損を防止することが出来る。また輪は弾性のある素材を使用しているので、締結解除後も輪の形状は元に戻るので繰り返し使用することが出来る。
【図面の簡単な説明】
【図１】本発明の正面図
【図２】本発明の使用方法を示した断面図
【図３】本発明の表示装置の画面前面に設置する周辺機器への使用例を示した図
【図４】本発明の表示装置への使用例の正面斜視図
【図５】本発明の表示装置への使用例の背面斜視図
【符号の説明】
１ａ、１ｂ  輪
２          ベルト状の基材
３          画面前面に設置する周辺機器
４          表示装置
【図１】
2004353853.tif 000003
【図２】
2004353853.tif 000004
【図３】
2004353853.tif 000005
【図４】
2004353853.tif 000006
【図５】
2004353853.tif 000007
(57)【要約】【課題】垢すりとしての機能を重視した、石鹸がふやけにくく絞りやすい、石鹸受け付きスポンジを提供する。【解決手段】スポンジ上面に、石鹸を載置するための鋭角な底面をもつ凹部を作り、その凹部の側面で石鹸を支えることによって、より小さい面で石鹸を支えることになり、石鹸がふやけにくく、また鋭角な底面をもつ凹部により握り潰しやすく、水を絞るのが楽になったスポンジ。【選択図】  図１
2004305789.tif 000002
【特許請求の範囲】
【請求項１】
全体をスポンジにて形成し、その上面に石鹸載置用の凹部を設けたものであって、前記凹部はその周縁部から内側に向かって傾斜する床面を有してなることを特徴とする石鹸置き。
【請求項２】
全体をスポンジにて形成し、その中央に石鹸挟持用の切り込みを設け、前記切り込みはその切込みに向かって湾曲に傾斜する石鹸挟持面を有してなることを特徴とする石鹸置き。
【請求項３】
全体をスポンジにて形成し、その中央に石鹸挟持用の切り込みを設け、前記切り込みの下部に筒状の空洞部を有してなることを特徴とする石鹸置き。
【請求項４】
全体をスポンジにて形成し、その上面に石鹸載置用の凹部を設けたものであって、前記凹部はスポンジ上面の平行する二つの辺から内側に向かって傾斜する底面を有し、かつ石鹸を立てかけられる深さを有することを特徴とする石鹸置き
【発明の詳細な説明】
【技術分野】
【０００１】
本発明は、スポンジと石鹸受けを合体させた、石鹸受け付きスポンジに関するものである。
【背景技術】
【０００２】
従来の石鹸受け付きスポンジは、凹部の平らな底面に直接石鹸を置く、一般的な石鹸受けと同じ形状のものが多く、垢すりとしての機能より石鹸受けとしての機能を優先していた。
【０００３】
【特許文献１】実開昭６０−２９５８６公報に開示された「せっけん置台」
【特許文献２】実開昭６０−１４６４９２公報に開示された「石けん置き」
【特許文献３】実開平０３−３１３７７公報に開示された「スポンジせっけん台」
【特許文献４】実公昭０５−０１４３８１「石鹸収容室附ノスポンジゴム製ノ垢擦」
【発明の開示】
【発明が解決しようとする課題】
【０００４】
本発明は従来の発明品とは違い、垢すりとしての機能を追及している。
従来品は殆どが凹部の平らな底面に直接石鹸を置く形状のために次のような問題点があった。
従来品では、石鹸をふやけさせないようにする方法として、スポンジ中央の凹部の平らな床面に突起物を配置して、石鹸とスポンジの接触面をできるだけ少なくする方法が取られていたが、そのために凹部の間口を広く取らねばならなかったり、深すぎたり大きすぎたりして、実際に垢すりとして使用するときにその大きな窪みが邪魔となり、具合の悪い発明が多かった。
前記の実開昭６０−２９５８６公報に開示された「せっけん置台」には、「スポンジ状の物体が吸収したせっけんは、手や容器を洗えるので経済的」と書いてあり、同様に実公昭０５−０１４３８１「石鹸収容室附ノスポンジゴム製ノ垢擦」にも「再度使用ノ際ハ石鹸ヲ殊更二塗布スルノ要ナク以前に溶解ニ依リ軟クナリタルモノカ附着シアルヲ利用スル」とあるが、清潔志向の強い現在、そのような使用法は不潔そのものである。垢すりとして使用後は、スポンジの水分も，スポンジに残った石鹸分も、きれいに取れて無くなっているのが理想である。
【課題を解決するための手段】
【０００５】
全体をスポンジにて形成し、その上面に石鹸載置用の凹部を設けたものであって、前記凹部はその周縁部から内側に向かって傾斜する床面を有しているので
石鹸はその２つの斜面にまたがるように置かれるため（実施例１−図１）、石鹸の下面がスポンジに直接触れることがなく、ふやけにくい。
さらに液体石鹸もこの凹部に流し込むことにより、少量でスポンジ全体に石鹸分が行き渡り、効率的に使用することができる。
また当発明は鋭角な床面をもつ凹部を有しているため、女性や子供でも容易にスポンジ全体を握り潰しながら使用することができ、水分も簡単に絞り落とすことができる。（図４）
また実施例２においては、凹部を極力小さく浅くするために石鹸をスポンジで挟み込むようにした（図５、図６）。これにより、これまでの石鹸受け付きスポンジに比べて、窪みが格段に小さくなり、通常の垢すり専用スポンジと変らない使い心地を維持することができるようになった。
実施例３は、スポンジ内部に空洞部を設けることにより（図７）、握りやすく絞りやすいスポンジとなった。また石鹸との接触部分のスポンジ上部は、水分が下がり落ちやすいため石鹸もふやけにくい。水分はスポンジ下部に落ちるが、石鹸はスポンジ下部には接触しないようになっている（図９）。
実施例４においては、垢すりとしての機能を最優先にして、鋭角に掘った凹部のおかげで、握りつぶしやすくなっている。水分もスポンジ下部に落ちるので、石鹸と接触するスポンジ上部は水分が逃げて石鹸もふやけにくくなっている（図１２）。
【発明の効果】
【０００６】
石鹸をスポンジに置いた時、石鹸がスポンジに接触する面が石鹸側面のみとなり、最も水分を多く残している凹部床面には触れないので、従来のスポンジを使った石鹸置きと比べ、スポンジが少々湿っていても石鹸が極端にふやけることがなくなった。また鋭角に掘った凹部のおかげで、女性や子供でも簡単にスポンジを握り潰すことが出来るようになり、スポンジの脱水が楽に行えるようになった。
【発明を実施するための最良の形態】
【０００７】
以下、本発明の実施の形態について説明する。
（イ）スポンジ（２）の上部に石鹸（１）が入るぐらいの凹部（３）を設ける。
凹部（３）に石鹸を入れ、使用時にはこの石鹸（１）を取り出して、スポンジに擦りつけて使用する。
または液体石鹸をスポンジ中央の凹部（３）に流し入れて使用する。
スポンジ使用後はスポンジを握り潰して脱水し、石鹸を凹部に戻す。
【図面の簡単な説明】
【０００８】
【図１】本発明（実施例１）の使用時の断面図
【図２】本発明（実施例１）の斜視図
【図３】本発明（実施例１）の使用状態を示す斜視図
【図４】本発明（実施例１）の使用状態の一部を示す平面図
【図５】本発明（実施例２）の斜視図
【図６】本発明（実施例２）の使用状態を示す斜視図
【図７】本発明（実施例３）の斜視図
【図８】本発明（実施例３）の使用状態を示す斜視図
【図９】本発明（実施例３）の使用状態を示す断面図
【図１０】本発明（実施例４）の斜視図
【図１１】本発明（実施例４）の使用状態を示す斜視図
【図１２】本発明（実施例４）の使用状態を示す断面図
【符号の説明】
【０００９】
１ 石鹸
２ スポンジ 
３ 凹部
【図１】
2004305789.tif 000003
【図２】
2004305789.tif 000004
【図３】
2004305789.tif 000005
【図４】
2004305789.tif 000006
【図５】
2004305789.tif 000007
【図６】
2004305789.tif 000008
【図７】
2004305789.tif 000009
【図８】
2004305789.tif 000010
【図９】
2004305789.tif 000011
【図１０】
2004305789.tif 000012
【図１１】
2004305789.tif 000013
【図１２】
2004305789.tif 000014
(57)【要約】      （修正有）【課題】外出先で、衣服類に付属するボタン類を、裁縫道具なしで修復でき、しかもそのために必要な用具を携帯可能なコンパクトにする。【解決手段】ボタンをつなぐ糸の代りにワイヤ−を使用する。針の代りに衣服を貫通させる手段として画鋲状の止め具を使用する。それら、二つのものを接合する手段としてストッパーの上下の穴から通し固定する。ストッパーの内部にはバネの力によりワイヤ−と画鋲状のピン（針）を拘束する細工がなされている。【選択図】図２
2004305757.tif 000002
【特許請求の範囲】
【請求項１】
衣服類にボタンを取り付ける手段が、従来は糸と針を必要としたが、本発明は糸の代りに金属のワイヤ−を用い、針の代りに画鋲状の止め具を利用した。それにより、時と場所を選ばず、外れたボタンの修復を可能にした。
【請求項２】
図１のワイヤ−は蛸足状に分かれ根元が結束されている。ワイヤ−の足の数はボタンの種類に適合すべく種類も適応させる。従って、ワイヤ−の足の数はボタンの形状等により変化し適応させる。
【請求項３】
ボタンを接合するワイヤ−と衣服に固定する部品（画鋲状の部品）は中間に介在する図２のストッパ−により同時に固定される。
【請求項４】
ボタン穴の形状により対応できる２種類のピン、図３、図４、のピン及び安全キャップを発明した。
【請求項５】
図５の止め具（ストッパ−）によりワンタッチでボタンの取り付け、取り外しを可能にした。
【発明の詳細な説明】
【技術分野】生活必需品の中の家庭用品に属する
【背景技術】本発明の完成に至るまでの経緯として、日常生沽において衣服に付属するボタンは時と場所を選ばず、突然離脱することは誰もが経験する処であるが、従来有効な対処方法といえる物はなかった。携帯用裁縫道具を所持している人もあるが、ごく希なケ−スである。
そこで、糸と針の代用が可能な物として、糸の代りに運送荷物などの荷札の取り付けに用いられている金属製ワイヤ−と針の代りに衣服に固定する手段として、学生帽や学生服に校章のピンを裏から固定する物からヒントを得て本発明を考案した。
【発明の開示】
【発明が解決しようとする課題】衣服類に取り付けられたボタン類は、外部からの何らかの力や、糸の摩耗等により衣服がら突然離脱する事態が日常よく発生する。しかし、裁縫道具等がない出先では対処できず、仮にあっても容易に対処しづらいものである。
【課題を解決するための手段】上記課題を解決するために、従来ボタンの取り付けは糸と針による接合という発想から離脱し、極細の金属製ワイヤ−による接合に転換した。
【発明の効果】本発明により、これをカバン類等に常時携行することにより、突然にボタンが離脱した状況においても敏速に、かつ裁縫経験の乏しい人にでも対応することができる。
【発明を実施するための最良の形態】本発明は形状がコンパクトなため携帯が容易であり、所持者が関係する就業先等に常備しておくことにより不測の事態に迅速に対応できる。
【実施例】
【実施例１】ボタンが外れた時、まずボタン穴の形状から、図３の１が図４の２のどちらかを選択する図６の３の場合は１、図６の４の場合は２のピンを対応させる。１のピンの場合、図１のワイヤ−をボタン穴に通し棒状に撚合わせる。ピンを取り付けたい衣服の裏側から刺し込み、Ｂの安全キャップをはめ、図２の部品（ストッパ−）の下側の穴から差し込む。次に撚合わしたワイヤ−をストッパ−の上側の穴から差し込み完了。
【実施例２】２のピンの場合は先にワイヤ−を撚合わせ、ボタン穴に通す。２のピンを衣服裏側から刺し、Ｄの安全キャップをはめ、撚合わせたワイヤ−をＣの穴に通しピンに巻き付けて完了
【産業上の利用可能性】本発明は、人間が着用する衣服全般に適用できる物であり、広い範囲の可能性を秘めている物と思われる。
【図面の簡単な説明】
【図１】ボタンを接合するためのワイヤ−。Ａはワイヤ−を結束する樹脂等の素材。
【図２】ワイヤ−とピンを固定するためのストッパ−。
【図３】衣服の裏側から刺し込むピン。Ｂはピンの安全キャップ。
【図４】機能としては図３と同じ物であるが、Ｃの穴より撚合わせたワイヤ−を通し絡ませる。図６の４のボタンに対応するピン。
【図５】図２の内部構造を表した断面図。ＥはＦに力を加えるためのバネ。Ｆはワイヤ−とピンを挟み、固定するための押さえ。ＧはＦにかかる力を解除するためのボタンであり、両側から指で押すことによりＦに隙間をつくりワイヤ−とピンを通すことができる。
【図６】ボタン穴の形状を説明するために代表的なボタンを図に表したものであり、本発明には属さない。ボタン穴の形状は大別するとこの２種類が主流と考えられる。
【図１】
2004305757.tif 000003
【図２】
2004305757.tif 000004
【図３】
2004305757.tif 000005
【図４】
2004305757.tif 000006
【図５】
2004305757.tif 000007
【図６】
2004305757.tif 000008
(57)【要約】【課題】脳の活性化とともに集中力を養い、ボケ防止、リハビリ訓練、幼児の知能育成に役立つゲーム遊具として提供する。【解決手段】盤（４）升目（２）の外周に施すアルファベット（３）１６文字の中から先ず二文字を起点、終点として選びその間を１６個の駒（１）を１６の升目（２）に埋めて通路を開拓するゲームである。その場合、駒（１）通路の切り口は二駒のみが予め選んだアルファベット（３）に接しその他の駒は全て内側で繋がっていなければならないというゲームである。【選択図】  図１
2004305644.tif 000002
【特許請求の範囲】
【請求項１】
四種類の通路を示す１６個の駒（１）（＋型１ａ２個・Ｔ型１ｂ４個・Ｌ型１ｃ７個・−型１ｄ３個）と、面を縦四列、横四段に区切った１６の升目  （２）の周囲にアルファベット（３）１６文字を配した盤（４）との組み合わせによるパズル。
【請求項２】
駒（１）の背面に、四隅方向に角度９０°のＸ型切り込み（５）を保持する請求項１記載の駒（１）。
【請求項３】
請求項２記載の駒（１）背面のＸ型切り込み（５）と合致するＸ型突起（６）を升目（２）の中心部に保持する請求項１記載の盤（４）。
【請求項４】
アルファベット（３）を世界各国の有名港名にする請求項１記載の盤（４）。
【請求項５】
アルファベット（３）を世界各国の有名空港名にする請求項１記載の盤（４）。
【発明の詳細な説明】
【０００１】
【発明の属する技術分野】
この発明は、パズル遊具に関するものである。
【０００２】
【従来の技術】
従来よりパズル遊具はあった。
【０００３】
【発明が解決しようとする課題】
脳の活性化とともに集中力を養い、ボケ防止、リハビリ訓練、幼児の知能育成に役立つゲーム遊具として提供する。
【０００４】
【課題を解決するための手段】
本発明は、四種類の通路を示す１６個の駒（１）を、１６に区切られた升目（２）に埋め、予め選んだアルファベット（３）二文字間の通路を開拓する楽しみながら集中力を育成するゲーム遊具とする。
【０００５】
【発明の実施の形態】
本発明は、１６個の駒（１）と１６の升目（２）をもつ盤（４）との組み合せによる通路を開拓するパズル遊具とする。
【０００６】駒（１）は通路を示し、＋型（１ａ）２個、Ｔ型（１ｂ）４個、Ｌ型（１ｃ）７個、−型（１ｄ）３個の合計１６個とする。
【０００７】駒（１）の背面は中心部に四隅方向角度９０°のＸ型切り込み（５）を保持する。（請求項２）
【０００８】盤（４）は縦四列、横四段に区切り、駒（１）の大きさの升目（２）１６個をもつ。
【０００９】各升目（２）の中心部には駒（１）背面のＸ型切り込み（５）に合致するＸ型突起（６）を保有する。（請求項３）
升目（２）の周囲にはアルファベット（３）１６文字を配する。
【００１０】升目（２）の周囲にはアルファベット（３）１６文字を配する。
【００１１】
【実施例】
先ずアルファベット（３）１６文字の中から二文字を起点、終点として選びその間を１６個の駒（１）を１６の升目に埋めて通路を開拓するゲームである。
その場合、駒（１）通路の切り口は二駒のみが予め選んだアルファベット（３）に接しその他の駒は全て内側で繋がっていなければならないというゲームである。
【００１２】
【発明の効果】
本発明は、以上に説明したようなルールで実施され次のような効果を奏する。
【００１３】
ルールが極めて単純であるため誰でも遊べる。
【００１４】
同じアルファベット（３）二文字間でも繋がる通路が幾とおりもあるので開拓に興味が湧き、飽きが来ないため長期間楽しむことができる。
【００１５】
高齢者のボケ防止に役立つ。
【００１６】
リハビリの訓練用具として役立つ。
【００１７】
幼児の知能育成に役立つ。
【００１８】
一家団欒、世代交流の遊具になる。
【００１９】
【図面の簡単な説明】
【図１】実施例としてアルファベットＳ・Ｚの二点間を結ぶ通路を示すパズル全体の平面図である。
【図２】＋型駒（１ａ）の平面図である。
【図３】Ｔ型駒（１ｂ）の平面図である。
【図４】Ｌ型駒（１ｃ）の平面図である。
【図５】−型駒（１ｄ）の平面図である。
【図６】駒（１）の背面図である。
【図７】Ｔ型駒（１ｂ）の上面斜視図である。
【図８】駒（１）の背面斜視図である。
【図９】１６の升目（２）の一つを示す上面斜視図である。
【図１０】盤（４）の上面図である。
【図１】
2004305644.tif 000003
【図２】
2004305644.tif 000004
【図３】
2004305644.tif 000005
【図４】
2004305644.tif 000006
【図５】
2004305644.tif 000007
【図６】
2004305644.tif 000008
【図７】
2004305644.tif 000009
【図８】
2004305644.tif 000010
【図９】
2004305644.tif 000011
【図１０】
2004305644.tif 000012
(57)【要約】【課題】麻雀牌を二段重ねにした場合に上積み牌の横滑りによる落下を防ぐ。【解決手段】麻雀牌（１）の背面（３）両肩（５）を斜めに削ぎ落とし、その分表面（２）の両側を突出させて滑り止め（４）とする。【選択図】図１
2004305643.tif 000002
【特許請求の範囲】
【請求項１】
牌背面（３）の両肩（５）を斜めに削ぎ落とし、削ぎ落とした分だけ表面（２）の両側を突出させて滑り止め（４）とする麻雀牌（１）。
【発明の詳細な説明】
【０００１】
【発明の属する技術分野】
本発明は、麻雀牌の形状に関するものである。
【０００２】
【従来の技術】
従来の麻雀牌は、背面が平面、もしくは蒲鉾型で表面は全て平面であつた。
【０００３】
【発明が解決しようとする課題】
従来の麻雀牌は次のような欠点があった。
牌を二段重ねにした場合に、上積みされた牌（１）の表面と下段の背面との接触面が平面同士もしくは平面と曲面との接触であるため滑り易く、そのため落下してゲーム遂行上不都合を招きやすかった。
【０００４】
【課題を解決するための手段】
本発明は上記の欠点を解決するために発明したもので、麻雀牌（１）の背面（３）の両肩（５）を斜めに削ぎ落とし、削ぎ落とした分だけ表面（２）の両側を突出させて滑り止め（４）とする。
【０００５】
【発明の実施の形態】
以下、本発明の実施の形態について説明する。
麻雀牌（１）の背面（３）の両肩（５）を斜めに削ぎ落とし、削ぎ落とした分だけ表面（２）の両側を突出させて滑り止め（４）とする。
【０００６】
【実施例】
麻雀の実施要領については従来どおりで変わりはない。
【０００７】
【発明の効果】
上積みした麻雀牌（１）両側の滑り止め（４）と下段麻雀牌（１）の両肩（５）の凹みが噛み合い、接触面が波状形になるため横滑りによる落下を防ぐことができる。
【０００８】
【図面の簡単な説明】
【図１】麻雀牌（１）の斜視図である。
【図２】麻雀牌（１）を二段に重ねにした状態を示す正面図である。
【図３】麻雀牌（１）を二段に重ねにした状態を示す斜視図である。
【符号の説明】
１  麻雀牌
２  表面
３  背面
４  滑り止め
５  肩
【図１】
2004305643.tif 000003
【図２】
2004305643.tif 000004
【図３】
2004305643.tif 000005
(57)【要約】【課題】本発明の課題は、低中高層建築物窓外面に、軽くて不燃で耐候性や材料強度があり、景観意匠性も兼ね備え、建築物に吊り下げ取り付け、巻き上げ吊り下げ、吊り下げ折りたたみや簾同士の接続が容易で、日除け、目隠し、仕切りなどの用途機能を備えた安価な金属製簾の提供。【解決手段】本発明の解決手段は、不燃で耐候性や材料強度があり、景観意匠性と、ほとんど錆びが発生しない軽い中空金属管棒と中空金属管間接材、鎌状金物、横繋ぎ管など、たとえば建築物建材で多く用いられるアルミニュウム合金製やステンレス合金製・チタン合金製・等にステンレス合金製やチタン合成製の極細金属撚り線を用いる。そして、その中空金属管棒の長手方向に数個の貫通孔を設け、中空金属管間接材とを金属撚り線で交互に通し組上げることで製作費が安価になる金属製簾とする。【選択図】      図１
2004305646.tif 000002
【特許請求の範囲】
【請求項１】
長手方向の何箇所か貫通孔のある中空金属管棒と短い中空金属管間接材を用いて、極細金属撚り線で中空金属管棒貫通孔と中空金属管間接材を交互に通し組み立て、その金属撚り線の上下両端に離脱防止機能付鎌状金物を設け、建築物に吊り下げ、巻き上げ、折りたたみ、簾同士接続が容易に出来る低中高層建築物窓外面用金属製簾。
【発明の詳細な説明】
【０００１】
【発明の属する技術分野】
本発明は、日除け、目隠し、仕切りなどの機能を有し、低中高層建築物窓外面に吊り下げる金属製簾に関する。
【０００２】
【従来の技術】
従来の簾は、細く切った竹や葦などを糸で編んだ可燃性物であり、耐候性や材料強度や景観上、主に低層住宅窓外面に用いられる。
【０００３】
【発明が解決しようとする課題】
本発明の課題は、低中高層建築物窓外面に、軽くて不燃で耐候性や材料強度があり、景観意匠性も兼ね備え、建築物に吊り下げ取り付け、巻き上げ吊り下げ、吊り下げ折りたたみや簾同士の接続が容易で、日除け、目隠し、仕切りなどの用途機能を備え、加工、製作が簡易で安価な金属製簾の提供。
【０００４】
【課題を解決するための手段】
かかる課題を解決するため本発明は、不燃で耐候性や材料強度があり、景観意匠性と、ほとんど錆びが発生しない軽い中空金属管棒と中空金属管間接材、鎌状金物、横繋ぎ管など、たとえば建築物建材で多く用いられるアルミニュウム合金製やステンレス合金製・チタン合金製・等にステンレス合金製やチタン合成製の極細金属撚り線を用いる。そして、その中空金属管棒の長手方向に数個の貫通孔を設け、中空金属管間接材とを金属撚り線で交互に通し組上げることで製作費が安価になる金属布状となる。又、中空金属管間接材の通し方向の長さを変えることで中空金属管棒間の開口率、風圧力が変わる。尚、中空金属管間接材を省き、中空金属管棒を金属撚り線で直接編み上げる事も出来るが金属同士なので滑りが生じ、抜けやすく、かつ、編み上げに特殊な機械も必要で高価になる。
【０００５】
中空金属管棒と中空金属管間接材とを金属撚り線で交互に通し組上げた金属布状の金属撚り線上下先端に脱落防止機能のついた鎌状金物を緊結固定し、建築物に吊り下げ取り付け固定及び上下の簾同士接続や巻き上げ吊り下げ、吊り下げ折りたたみに用いる。又、金属布状金属撚り線途中に何箇所かの金属丸環を設ける。その金属丸環に上下簾の鎌状金物をお互い引っ掛けあうだけで接続でき、かつ、巻き上げ吊り下げ、吊り下げ折りたたみにも利用出来る。尚、横同士簾接続には簾上下中空金属管棒を横繋ぎ管で互いに差し込みネジ締めを行う。
【０００６】
【発明の実施の形態】
本発明の実施形態に基づいて説明する。図１は金属製簾の完成斜図である。図２（Ａ）から（Ｇ）は金属製簾の利用形態図。図３は組み立て構成斜図。図４は建築物金物に取り付ける方法や金属製簾同士の上下方向や横方向で接続固定する断正面詳細図である。
【０００７】
図１の１は主部品の中空金属管棒１で、予め金属撚り線３を通す孔を開け、２は１と１の間に入れる中空金属管間接材２である。金属丸環５は金属撚り線３上に計画個数設ける。金属撚り線締め付け固定金物６は１の上辺部、２の上に設け、金属製簾を吊り下げた後、６に付いているネジで３を締め付け１や２が風などで緩衝し合わないよう拘束する。建築物に吊り下げ取り付けや上下の簾同士を接続する離脱防止機能付鎌状金物４は１及び２と５と６を通した３の両端に緊結する。
【０００８】
図２は金属製簾の利用形態図で、（Ａ）は金属製簾を巻き上げ吊り下げ。（Ｂ）及び（Ｃ）は折りたたみ吊り下げ。（Ｄ）及び（Ｇ）は金属製簾同士を上下左右接合吊り下げ取り付け。（Ｅ）は上下に戸車付きレールを設け、その戸車に金属製簾を緊結する事で横滑りさせる事が出来る。（Ｆ）は金属製簾を吊り下げ下部重石に引っ掛け固定した図である。
【０００９】
図３は組み立て構成図で、組み立てる手順は幾つかあるが、まず、４を３に緊結固定し、予め金属撚り線３を通す貫通孔７が開いている中空金属管棒１及び２と５と６を順次所定の本数まで通し、最後に４を緊結固定して一箇所完成する。一金属製簾あたり大体二箇所から三箇所ぐらい設ける。
【００１０】
図４は建築物に取り付ける方法であるが、建築物固定部分上部１０についている固定金物９に金属製簾の４を引っ掛け固定し吊り下げる。又、下部は同じ様に９に引っ掛け固定するが、建築物固定部分下部１１は重石でもよい。尚、金属製簾同士の上下接続方法は、お互いに４を５に引っ掛け固定し、横方向は横繋ぎ管金物８を用いて、１の上下部材端部部分にお互い差込ネジ止め固定する。
【００１１】
【発明の効果】
以上、説明したように、本発明の金属製簾は日除け、目隠し、仕切りなど、目的に応じた使い方が簡単に出来、軽くて通風性があり、不燃で耐候性や材料強度と景観意匠を兼ね備え、取り付けや組み合わせが容易に出来る低中高層建築物の窓外面用の安価な金属製簾であらゆる建造物部分に輻広く用いられる。
【図面の簡単な説明】
【図１】本発明に係る金属製簾の完成斜図
【図２】本発明に係る金属製簾の利用形態図
【図３】本発明に係る金属製簾組み立て構成斜図
【図４】本発明に係る金属製簾接続固定する断正面詳細図
【符号の説明】
１    中空金属管棒
２    中空金属管間接材
３    金属撚り線
４    離脱防止機能付鎌状金物
５    金属丸環
６    金属撚り線締め付け固定金物
７    中空金属管棒貫通孔
８    横繋ぎ管金物
９    建築物引っ掛け固定金物
１０  建築物固定部分上部
１１  建築物固定部分下部
【図１】
2004305646.tif 000003
【図２】
2004305646.tif 000004
【図３】
2004305646.tif 000005
【図４】
2004305646.tif 000006
(57)【要約】【課題】現行の接合木製野球バットでの、打球部における完成度の高さの不足の解消及びアオダモ材のバットの生産過程におけるロスの低減。【解決手段】本発明では、現行の接合木製野球バットにみられる張り合わせの工法をとらずに、打球部に使うアオダモ材の中心部をくり抜き、そこに棒状にしたアオダモ材以外の木材を挿入するという工法をとることにより打球部における完成度の高さの不足を解決した。そうする事によりアオダモ材のロス問題の解消及びバットとしての完成度の不足が解決される。【選択図】    図１
2004305679.tif 000002
【特許請求の範囲】
【請求項１】
野球バットの打球部とグリップエンド部にアオダモ材を使用し、そのアオダモ材の中心部をくり抜きバットのトップからグリップエンド部分までアオダモ材以外の木材を挿入した野球バット。
【発明の詳細な説明】
【００１】
【発明の属する技術分野】
本発明は、野球ボールを打撃する運動用具である。
【００２】
【従来の技術】
従来のアオダモ材のみで作成されている野球バットは高価であり、材料の確保も限られている。その為、安価で作成される接合木製野球バットが市場に出回るようになった。しかし今までの接合木製野球バットは、複数の木材を板状にし張り合わせたものであった。しかしそれでは、打球部の完成度においては不完全なものであった。
【００３】
【発明が解決しようとする課題】
本発明の目的は、従来の接合木製野球バットにおけて本来の野球バットの一層の効果を提供すると共に、現在のアオダモ材のみを使ったバット作成過程において角材からバットに形成される過程で４割から５割のロスが出る現状の問題が解消され有効利用される。という目的をもつ。
【００４】
【課題を解決する手段】
打球部とグリップエンド部にアオダモ材を使用し、そのアオダモ材の中心部分をくり抜きそこにアオダモ材以外の木材を挿入する事で、打球部の完成度が増すと共に、アオダモ材のロス部分を有効利用する事ができる。
【００５】
【発明の実施の形態】
本発明の実施の形態を図面を参照して説明する。
図１において、アオダモ材を打球部とグリップエンド部に使用し、そのアオダモ材の中心をくり抜きそこにアオダモ材以外の木材を挿入する。それにより図２のように外観からは打球部とグリップエンド部がアオダモ材、グリップ部がアオダモ材以外の木材となる。図３・図４に於いては、アオダモ材以外の木材を棒状にして打球部に使用しているアオダモ材との接合部分に接着剤を使用する為にくぼみ状の形を形成する。そのくぼみ部分の形状に於いては図３・図４以外にもテーパー状も可能である。その場合見栄えの関係上トップ部分にふたをする事も可能である。
【００６】
構成される部材は、共にアオダモ材以外にその他の木材・竹・金属・樹脂他にすることもできる。
図２において、１の打球部のアオダモ材の長さについては図の長さに限らず長くなることも、短くなることも可能である。
【００７】
【発明の効果】
本発明において、今までの接合木製バットより、打球部の完成度が飛躍的に向上し、耐久性も向上するという効果が得られ、今までロスになっていたアオダモ材が有効利用されアオダモ材の生産数の問題及び自然環境にも寄与するという効果がもてる。
【図面の簡単な説明】
【図１】本発明の断面である。
【図２】本発明の外観面である。
【図３】本発明のアオダモ以外の木材の形状である。
【図４】本発明のアオダモ以外の木材の形状である。
【符号の説明】
１  打球部のアオダモ材
２  アオダモ材以外の木材
３  接着剤
４  くぼみ部分
５  グリップエンド部のアオダモ材
【図１】
2004305679.tif 000003
【図２】
2004305679.tif 000004
【図３】
2004305679.tif 000005
【図４】
2004305679.tif 000006
(57)【要約】【目的】この発明は、腰部を載せるだけで腰部の重量により、腰部に接する部分が足先の方向へ移動して、腰部を牽引する力の作用が発生し、指圧効果を高めながら腰部を牽引することができ、腰部の矯正に効果を有する腰牽引指圧器に関するものである。【構成】腰部を牽引指圧器の上に載せると、腰部が指圧材４を押さえるようになる。そうすると、その重量により心棒３が金具２の折り曲がった点を中心にして若干回転し、腰部を牽引する作用を生じる。それにより、腰部が牽引され、腰部の矯正に効果がある。また、腰部分は指圧効果が高く、この部分に牽引圧力が加わることにより相乗的な効果が発生し、優れた指圧効果を生じ、腰部の痛みや足の痺れ等に効果が高い。【選択図】  図２
2004305675.tif 000002
【特許請求の範囲】
【請求項１】
腰部の重量により、腰に当たる部分が腰部を牽引しながら指圧作用を有する腰牽引指圧器。
【請求項２】
腰部の重量により、腰に当たる指圧部分を支持する金具２が立ち上がり部分を中心にして弾性的に回転することにより、腰部を牽引しながら指圧作用を有する腰牽引指圧器。
【発明の詳細な説明】
【０００１】
【産業上の利用分野】
この発明は、腰牽引指圧器に腰を載せるだけで腰部の重量により、腰牽引指圧器の腰部に接する部分が足の先の方向へ移動して、腰部を牽引する力の作用が発生し、指圧効果を高めながら腰を牽引することができ、腰部の矯正に効果を有する腰牽引指圧器に関するものである。
【０００２】
【従来の技術】
特許庁の電子図書館の特許・実用新案において「腰」と「牽引」をキーワードにして検索を行った結果、５５件が一覧表示されたが、ベルトによる牽引が一般的であった。また、「腰」と「指圧」により検索した結果、突起状のもので指圧効果を得るものがほとんどであり、指圧効果と牽引効果を同時に達成しようとする装置は存在しなかった。
【０００３】
【発明が解決しようとする課題】
近年は高齢者が多くなってきており、腰痛や足の痺れなど腰の障害を有して苦しんでいる人が多くなってきている。
このような障害に対して、病院では電気や牽引による治療が一般的に行われているが、腰の障害は根気よく続ける必要があり、病院に毎日はなかなか行けない状態である。
一方、腰の治療には指圧も有効であるが、腰の障害は脊椎の圧縮による神経の圧迫であるため、背骨と骨盤の接合部近くの牽引と指圧を同時に行うことが効果的であり、このような効果を有し、かつ手軽に家庭で行える治療器が待望されていた。
【０００４】
【課題を解決するための手段】
いま、その構成を図１により説明すると、
（イ）腰牽引指圧器の台１に金具２を取り付け、この金具２に心棒３が取り付けられている。心棒３には腰の指圧材４が取り付けられている。
金具の立ち上がり角度は腰部の重量が負荷された時に牽引力が生じるようにやや鋭角に取り付けられている。
以上のように装置する。
【０００５】
【課題を解決するための手段】
次に本発明の作用を述べる。
腰部を腰牽引指圧器の上に載せると、腰部が指圧材４を押さえるようになる。そうすると、その重量により心棒３が金具２の折り曲がった部分を中心にして若干回転し、腰部を牽引する作用を生じる。それにより、腰部全体が牽引され、腰部の矯正に効果がある。
また、腰部の重量に対する反作用として指圧材から腰部に対して指圧作用を生じ、腰部の牽引作用が加わることにより、優れた指圧効果を生じ、腰痛や足の痺れ等に効果が高い。
この腰部の矯正と指圧効果が相乗的に作用して、労働による腰部の疲労や高齢化による腰痛や足の痺れ等に効果が高い。
【０００６】
【実験例】
実験を行ってみると、腰部の牽引と指圧の相乗効果は優れており、しかもその２つの効果が軽量でコンパクトな装置で実現できているため、非常に利用しやすい。夜間に腰の下に設置しておくだけで腰の治療に顕著な効果が現れる。
ただ、使用に当たっては牽引指圧器の設置方向を間違える可能性があるため、方向を明示しておく必要がある。指圧材４は肌に強く当たるため、ゴム製などの弾力性のある素材が好ましい。また、金具２はバネ材など弾性材が良く、必ずしも金属製である必要はない。
【０００７】
【発明の効果】
近年は、高齢化社会の到来により、腰痛や足のしびれ等の障害を有する人が多くなってきてるが、これらの人もこの腰牽引指圧器を用いることにより、腰部の矯正が図られ障害の快復が図られることが期待される。
腰は体の中心であり、体を動かして作業や運動をする場合要となるところである。しかしながら、人間が歩行を始めた太古から体の負荷が集中して腰部に作用するようになり、高齢化して腹筋や背筋の筋力が低下してくると、腰部の脊椎に負荷がかかりすぎ、椎間板が神経を圧迫し、障害を生じ易くなる。
これに対して、牽引は背骨の錐体と錐体の間隙を広げる作用があり、指圧は錐体と錐体の間の椎間板を元にように押し込む作用があり、この２つの作用が同時に行われることが背骨の矯正や腰痛の治療に効果的であることは明らかである。
腰は体の運動の重要な要であり、この部分の治療と矯正は健康に生活する上で極めて重要なことである。高齢化社会で人の世話にならず健康で長生きできることはそれだけで社会に大きな貢献をすることになる。
腹筋や背筋などを強化して、背骨に過度の負担がかからないようにするとともに、本発明の腰牽引指圧器を活用して健康的な生活を送ることは社会的にも非常に大きな意義があると考えている。
【図面の簡単な説明】
【図１】腰牽引指圧器
【図２】腰牽引指圧器の作用
【符号の説明】
１は台
２は金具
３は心棒
４は指圧材
Ｗは腰部の重量
Ｗ’は腰部の重量の反作用の指圧力
ＦはＷが負荷され、金具２が弾性的に変形することにより発生する牽引力
αは金具の立ち上がり角度＜９０°
【図１】
2004305675.tif 000003
【図２】
2004305675.tif 000004
(57)【要約】      （修正有）【課題】この接続金具は、磁石の特性の中で同一サイズの磁石は、接着する時に一定の位置に接続する性能と接着面に対し、上下の接着力は強力であるが、左右のズレには弱い性能を利用し、接続時は一定の位置に容易に接続でき、脱着時には、ズレに弱い性能を利用し、容易に脱着できる。また、突起（爪）を利用し、ＡとＢ方向の引力に対する弱点を補強している。【解決手段】任意の形の磁石を、接続金具の接合面以外を覆う箱状、又は、円筒状の接続金具に、板又は、棒状の突起（爪）をつけ、突起（爪）の反対側の面にネックレスを取り付けるための丸管をとりつける。更に、磁石を接続金具本体の内側に固定する際に、突起（爪）との間に隙間を開けておく。重ね合わせたとき、相対する丸管の上部、又は下部に突起（爪）が位置するようにし、同一形状の金具を２個重ね合わせて、使用する。【選択図】図１
2004305676.tif 000002
【特許請求の範囲】
【請求項１】
任意の形の接続金具１の  突起（爪）３の反対側の外側にネックレスを取り付けるための丸管４をつけ、接続金具１の丸管４の内側に接するように任意の磁石２を接着剤等により固定し、相対する接続金具の磁石がＳ極とＮ極が接する様にし、同一形状の接続金具が相対するように２個重ね合わせて使用する。
【請求項２】
（請求項１）での接続金具１に、任意の形の磁石２を接着剤等により固定する際に、ストッパーとしての突起（爪）３を着けた面との間に、隙間を開けておく。
【請求項３】
重ね合わせた時に、突起（爪）３が相対する金具の丸管４の上部又は、下部になるように、取り付ける。
【発明の詳細な説明】
【００１】
（産業上の利用分野）
この発明は、磁石を用いたネックレス用の接続金具に、装着と脱着を容易にするためと、接続金具同士のズレ及び、ハズレを防止する為のツメを付けたものである。
【００２】
（従来の技術）
従来の、ネックレス用の接続金具には、片方の金具の輪のなかに反対側の金具を通して固定する。片方の金具を中折れ式にして、反対側の金具をその折れた部分に固定する。片方の金具を磁石に反対側の金具に鉄に、もしくは、両方の金具を磁石にする等の金具がある。
【００３】
（発明が解決しようとする課題）
本発明の目的は、片方の金具を磁石に反対側の金具を鉄に、もしくは両方の金具を磁石にしたネックレス用の接続金具についてである。
（イ）従来の、片方に磁石を用いた金具は、接続面が一定の位置に接続する時、前後左右のブレが生じやすい。
（ロ）従来の、両方の金具に磁石を用いた場合、脱着を両手で行わないと脱着が困難である。
本発明は、これらの欠点を解決する為になされたものである。
【００４】
（課題を解決するための手段）
ネックレス用の接続金具本体１の内側に、磁石２を接着剤等で固定したものである。接続金具本体１の、ネックレスを取り付ける為の丸管４の反対側に、板、または棒状の突起（爪）３を付けておく。更に、磁石２を接続金具本体１の内側に固定する際には、突起（爪）３の内側に、接続金具本体１と磁石２との間に隙間を開けておくことにより、接続金具を装着したときに図１のように正しい状態で取り付けることができる。
又、磁石は、同一のサイズの物を使用し、Ｓ極とＮ極が互いに対する様に装着する。
【００５】
（作用）
ネックレスを装着する時、磁石同士が接続するため、接続位置、及び方向が一定し、ズレがなく、接続も簡単である。又、通常ネックレスの金具はＡとＢ（図面３）の方向に同時に引力が作用するが突起（爪）３がストッパーの役目をはたす。
逆に、ＸとＹ（図面３）の方向に引力が作用した場合、脱着しやすい。
【００６】
（実施例）
以下、本発明の実施例について説明します。
（イ）任意の形の磁石２（同一サイズ、Ｓ極とＮ極を有する物）を、接続金具１のなかに接合し接合面以外を覆う箱状又は、円筒状の接続金具１の丸管４を付ける反対側に、板又は、棒状の突起（爪）３を付ける。（図２）参照
（ロ）磁石２を接続金具本体１の内側に固定する際、突起（爪）側の本体と磁石２との間に接続金具１を重ね合わせ時に突起（爪）３が相対する接続金具１の丸管３の上部又は、下部に位置するように隙間をあけておく。（図１）参照
【００７】
（発明の効果）
（イ）連結する時、磁石（Ｓ極とＮ極を所有）を２個使用する事により、接着面にブレが生じず、同位置に連結が簡単におこなわれる。
（ロ）（図４）ＡとＢの方向の引力には突起（つめ）３が有るため接着部分は、脱着しずらい。
（ハ）（図４）ＸとＹの方向の引力には突起（つめ）３がなく、親指と人差し指で金具を挟み、ＸとＹの方向に上下の金具をずらすと脱着が非常に簡単にでき、両手を使用せず、片手でおこなえる。
（ニ）以上、３点の効果をかけ備えている。
【図面の簡単な説明】
【図１】本発明の連結時の断面図である。
【図２】本発明の斜視図である。
【図３】本発明の上面図である。
【符号の説明】
１）接続金具                  ２）磁石
３）突起（爪）                ４）ネックレスを取り付けるための丸管
【図１】
2004305676.tif 000003
【図２】
2004305676.tif 000004
【図３】
2004305676.tif 000005